(57)【要約】【課題】開口枠に設けた凸状体及び障子に設けた凹状体を目視せずとも両者を確実に当接させた状態で開口枠に障子を装着すること。【解決手段】開口枠１０の下枠部材１２から突設した凸状体３１と、凸状体３１を受け入れ可能となるようにガラス窓２０の下框部材２２に設けた凹状体３２とを有した形材蝶番３０を適用し、凹状体３２及び凸状体３１を回動可能に当接させることにより、開口枠１０に対してガラス窓２０を下框部材２２の長手方向に沿った軸心を中心として傾動可能に支持させる建具において、下枠部材１２の凸状体３１に軸心を中心として回動可能に配設し、ガラス窓２０を構成する縦框部材２３に形成した嵌合舌片２３ａを嵌合した場合に下枠部材１２に対する下框部材２２の見込み方向に沿った位置を規定するスリット４４を有した位置決めブロック４０を備えている。【選択図】図１
2010127034.tif 000002
【特許請求の範囲】
【請求項１】
開口枠を構成する枠部材と障子を構成する框部材との間に構成し、前記枠部材から前記框部材に向けて突設した凸状体と、前記凸状体を受け入れ可能となるように前記框部材に設けた凹状体とを有した形材蝶番を適用し、
これら凹状体及び凸状体を回動可能に当接させることにより、前記開口枠に対して前記障子を前記框部材の長手方向に沿った軸心を中心として傾動可能に支持させる建具において、
前記枠部材の凸状体に前記軸心を中心として回動可能に配設し、前記障子を構成する框部材との間に互いに嵌合した場合に前記枠部材に対する前記框部材の見込み方向に沿った位置を規定する位置決め手段を有した位置決めブロックを備えることを特徴とする建具。
【請求項２】
前記位置決めブロックは、前記枠部材の凸状体において前記障子の両側部に対応する部位に位置し、かつ前記障子の両側を構成する一対の框部材の外側面を覆う態様で配置したことを特徴とする請求項１に記載の建具。
【請求項３】
前記位置決め手段は、前記障子の両側を構成する框部材の側面から外方に向けて舌片を突設するとともに、前記位置決めブロックにおいて前記舌片に対応する部位にスリットを形成し、該スリットに前記舌片を嵌合させることにより前記枠部材に対する前記框部材の見込み方向に沿った位置を規定することを特徴とする請求項２に記載の建具。
【請求項４】
前記位置決めブロックと前記障子との間には、前記舌片と前記位置決めブロックのスリットとが見込み方向にずれた状態で前記枠部材と前記框部材とが互いに近接配置された場合に相互に当接し、前記開口枠に対する前記障子の見付け方向の位置ずれを発生させる当接手段を設けたことを特徴とする請求項３に記載の建具。
【請求項５】
開口枠を構成する枠部材から凸状体を突設し、かつ障子を構成する框部材に凸状体を受入可能な凹状体を構成し、これら凹状体及び凸状体を回動可能に当接させることにより、前記開口枠に対して前記障子を前記框部材の長手方向に沿った軸心を中心として傾倒可能に支持させる建具を適用対象とし、
前記枠部材の凸状体に前記軸心を中心として回動可能に支持され、前記障子を構成する框部材との間に互いに嵌合することによって前記枠部材に対する前記框部材の見込み方向に沿った位置を規定する位置決め手段を有したことを特徴とする建具用位置決めブロック。
【発明の詳細な説明】
【技術分野】
【０００１】
本発明は、内倒し窓等のように、開口枠に対して障子を傾動可能に支持させた建具及び建具に用いられる位置決めブロックに関するものである。
【背景技術】
【０００２】
内倒し窓等のように、開口枠に対して障子を傾動可能に支持させる建具には、蝶番金具の代わりに形材蝶番を適用したものがある。形材蝶番は、内倒し窓の場合、開口枠を構成する下枠部材に凸状体を設ける一方、障子を構成する下框部材に凹状体を設けることによって構成される。凸状体は、下枠部材の長手方向に沿って設けた一条の突出片であり、先端部が半円筒状に突出した形状に形成されている。凹状体は、下框部材において凸状体に対応する部位に形成した半円筒状の凹所を有するもので、凸状体の先端部を受け入れ可能に構成されている。
【０００３】
この形材蝶番では、開口枠に対して障子を装着する際に凸状体の先端部を凹状体に挿入すれば、凸状体と凹状体とが回動可能に当接することになり、下框部材の長手方向に沿った軸心を中心として障子を傾動させることが可能になる。形材蝶番を適用した場合には、蝶番金具を適用する場合に比べて部品点数が減るばかりでなく、ネジ等を締結する作業も不要となり、製造コストを低減することができる（例えば、特許文献１参照）。
【０００４】
【特許文献１】特開２００６−２２６０１８号公報
【発明の開示】
【発明が解決しようとする課題】
【０００５】
しかしながら、開口枠に設けた凸状体及び障子に設けた凹状体は、いずれも開口枠に対して障子を装着する際に下框部材によって隠れてしまうため目視することが難しい。このため、凸状体と凹状体とが正確に当接したか否かを確認することも困難であり、両者が当接していない状態で開口枠に障子が装着される恐れがある。
【０００６】
本発明は、上記実情に鑑みて、開口枠に設けた凸状体及び障子に設けた凹状体を目視せずとも両者を確実に当接させた状態で開口枠に障子を装着することのできる建具及び建具用位置決めブロックを提供することを目的とする。
【課題を解決するための手段】
【０００７】
上記目的を達成するため、本発明に係る建具は、開口枠を構成する枠部材と障子を構成する框部材との間に構成し、前記枠部材から前記框部材に向けて突設した凸状体と、前記凸状体を受け入れ可能となるように前記框部材に設けた凹状体とを有した形材蝶番を適用し、これら凹状体及び凸状体を回動可能に当接させることにより、前記開口枠に対して前記障子を前記框部材の長手方向に沿った軸心を中心として傾動可能に支持させる建具において、前記枠部材の凸状体に前記軸心を中心として回動可能に配設し、前記障子を構成する框部材との間に互いに嵌合した場合に前記枠部材に対する前記框部材の見込み方向に沿った位置を規定する位置決め手段を有した位置決めブロックを備えることを特徴とする。
【０００８】
また、本発明に係る建具は、上述した建具において、前記位置決めブロックは、前記枠部材の凸状体において前記障子の両側部に対応する部位に位置し、かつ前記障子の両側を構成する一対の框部材の外側面を覆う態様で配置したことを特徴とする。
【０００９】
また、本発明に係る建具は、上述した建具において、前記位置決め手段は、前記障子の両側を構成する框部材の側面から外方に向けて舌片を突設するとともに、前記位置決めブロックにおいて前記舌片に対応する部位にスリットを形成し、該スリットに前記舌片を嵌合させることにより前記枠部材に対する前記框部材の見込み方向に沿った位置を規定することを特徴とする。
【００１０】
また、本発明に係る建具は、上述した建具において、前記位置決めブロックと前記障子との間には、前記舌片と前記位置決めブロックのスリットとが見込み方向にずれた状態で前記枠部材と前記框部材とが互いに近接配置された場合に相互に当接し、前記開口枠に対する前記障子の見付け方向の位置ずれを発生させる当接手段を設けたことを特徴とする。
【００１１】
また、本発明に係る建具用位置決めブロックは、開口枠を構成する枠部材から凸状体を突設し、かつ障子を構成する框部材に凸状体を受入可能な凹状体を構成し、これら凹状体及び凸状体を回動可能に当接させることにより、前記開口枠に対して前記障子を前記框部材の長手方向に沿った軸心を中心として傾倒可能に支持させる建具を適用対象とし、前記枠部材の凸状体に前記軸心を中心として回動可能に支持され、前記障子を構成する框部材との間に互いに嵌合することによって前記枠部材に対する前記框部材の見込み方向に沿った位置を規定する位置決め手段を有したことを特徴とする。
【発明の効果】
【００１２】
本発明によれば、障子と位置決めブロックとの間において位置決め手段を嵌合させれば、位置決めブロックを介して開口枠の凸状体と障子の凹状体との見込み方向の位置決めを行うことができるため、直接凸状体及び凹状体を目視せずとも容易に、かつ確実に両者を当接させて開口枠の適正な位置に障子を装着することができるようになる。
【発明を実施するための最良の形態】
【００１３】
以下に添付図面を参照して、本発明に係る建具及び建具用位置決めブロックの好適な実施の形態について詳細に説明する。
【００１４】
図１及び図２は、本発明の実施の形態である建具の断面を示したものである。ここで例示する建具は、開口枠１０とガラス窓（障子）２０とを備え、開口枠１０に対してガラス窓２０の上端部を室内側に倒して開放する、いわゆる「内倒し窓」と称されるものである。
【００１５】
開口枠１０は、上枠部材１１、下枠部材１２及び左右一対の縦枠部材１３を四周枠組みすることによって構成したもので、家屋の壁Ｗに形成した開口ＷＯに対してその縁部に沿うように配設してある。ガラス窓２０は、上框部材２１、下框部材２２及び左右一対の縦框部材２３を四周框組みすることによって構成した框の内部にガラス板２４を保持したもので、開口枠１０の内部に装着可能な大きさに構成してある。
【００１６】
これら開口枠１０とガラス窓２０との間には、形材蝶番３０が形成してある。形材蝶番３０は、開口枠１０の下枠部材１２に凸状体３１を設ける一方、ガラス窓２０の下框部材２２に凹状体３２を設けて構成したものである。
【００１７】
凸状体３１は、下枠部材１２の上面から上方に向けて突設した一条の薄板状部分であり、下枠部材１２の長手方向全長にわたって設けてある。図１からも明らかなように、凸状体３１の突出端部は、上方に向かうに従って僅かに室内側に傾斜するように突出しており、その上端部に筒状部３１ａを有している。筒状部３１ａは、室内側に向けて湾曲することにより上方に向けて凸となる半円筒状に構成したもので、その軸心が下枠部材１２の長手方向に沿うように形成してある。凸状体３１の突出端部は、筒状部３１ａの頂部を０°とした場合、室内側に向けて約９０°の位置まで湾曲しており、その突出端面が下枠部材１２の上面に対向した状態にある。
【００１８】
凹状体３２は、下框部材２２の下面に摺動片３２ａ及びストッパ片３２ｂを互いに対向させるように突設することによって略半円柱の凹状に構成したもので、下框部材２２の長手方向に沿って形成してある。摺動片３２ａは、ガラス窓２０を直立させた場合、下框部材２２の下面から室外側に向けて下方に湾曲した後、凸状体３１の上端部に沿うように室外側に向けて漸次下方に傾斜している。ストッパ片３２ｂは、下框部材２２の下面において摺動片３２ａよりも室内側に位置する部分から下方に向けて延在した後、その下端部が室外側に向けて直角に屈曲してストッパ面３２ｃを構成している。ストッパ面３２ｃは、ガラス窓２０を直立させた状態で凸状体３１の筒状部３１ａを摺動片３２ａとストッパ片３２ｂとの間に収容させた場合に、凸状体３１の突出端面が当接するように構成してある。
【００１９】
これら摺動片３２ａ及びストッパ片３２ｂによって構成した凹状体３２は、図１に示すように、ガラス窓２０が直立した状態にある場合、摺動片３２ａとストッパ片３２ｂとの間の間隙が凸状体３１の筒状部３１ａよりも小さく構成されることになり、そのまま凸状体３１の筒状部３１ａを収容することができない。一方、図３に示すように、開口枠１０に対してガラス窓２０を室内側に傾斜させ、ストッパ片３２ｂの先端部を凸状体３１における筒状部３１ａの先端面よりも下方側に配置した場合には、摺動片３２ａとストッパ片３２ｂとの間の間隙が凸状体３１の筒状部３１ａよりも大きくなる。従って、この状態からは、凹状体３２の内部に凸状体３１の筒状部３１ａを挿入させることが可能となる。凹状体３２の内部に凸状体３１の筒状部３１ａを挿入した後においては、凹状体３２と凸状体３１とを適宜当接させることにより、ガラス窓２０を傾斜した状態と直立した状態との間に移動させることができるようになる。
【００２０】
また、上記内倒し窓は、図２に示すように、下枠部材１２の凸状体３１に一対の位置決めブロック４０を備えている。位置決めブロック４０は、図４〜図６に示すように、凸状体３１の両端部にそれぞれ配設したもので、直方体状を成す基部４１と、基部４１の一側面から突出した直方体状の当接部（当接手段）４２とを樹脂材料によって一体に成形してある。尚、一対の位置決めブロック４０は、互いに対称の構成を有したものであるため、以下には室内側から見た場合に正面向かって左側に位置するものについてのみ説明する。また、以下においては便宜上、位置決めブロック４０において室内側に位置する面を前面４０ａ、室外側に位置する面を背面４０ｂ、正面向かって左側に位置する面を左面４０ｃ、正面向かって右側に位置する面を右面４０ｄ、上方に位置する面を上面４０ｅ、下方に位置する面を底面４０ｆと称する。
【００２１】
位置決めブロック４０の基部４１には、その底面４０ｆに回動溝４３が形成してある。回動溝４３は、基部４１の底面４０ｆに開口し、かつ凸状体３１の筒状部３１ａを摺動可能に収容することのできる大きさに構成した半円柱状の切欠であり、その軸心が基部４１の底面４０ｆ及び前面４０ａに沿うように形成してある。回動溝４３の開口は、凸状体３１における筒状部３１ａの外径よりも僅かに小さく形成してあるが、押圧力を付与することによって筒状部３１ａが適宜縮径し、これを通過させることが可能である。この回動溝４３は、基部４１の左面４０ｃに開口するが、右面４０ｄは閉塞壁４０ｇによって閉塞してある。位置決めブロック４０の当接部４２は、基部４１の右面４０ｄにおいて室外側に位置する部分から突出した部分であり、基部４１と同じ高さに構成してある。
【００２２】
この位置決めブロック４０には、基部４１の室内側に位置する部位にスリット４４が形成してある。スリット４４は、基部４１の上面４０ｅ及び右面４０ｄに開口した狭幅の切欠であり、薄板の隅部を収容することが可能である。尚、図４からも明らかなように、位置決めブロック４０の基部４１においてスリット４４よりも室内側に位置する部分は、上面４０ｅと右面４０ｄとの会合部が円弧状に整形してある。
【００２３】
上記の構成を有する位置決めブロック４０は、図６に示すように、予め凸状体３１の筒状部３１ａに形成した収容切欠３１ｂに閉塞壁４０ｇを位置させた状態で回動溝４３に筒状部３１ａを嵌合させることにより、筒状部３１ａの軸心を中心として回動可能に配設してある。一対の位置決めブロック４０は、それぞれ閉塞壁４０ｇが収容切欠３１ｂの端面に当接することにより互いの最大相互間隔が規定された状態にある。この最大相互間隔は、一対の位置決めブロック４０の間にガラス窓２０を装着することのできる大きさである。
【００２４】
一方、上記内倒し窓では、図２に示すように、ガラス窓２０を構成する一対の縦框部材２３にそれぞれ嵌合舌片（舌片）２３ａ及び当接片（当接手段）２３ｂが形成してある。
【００２５】
嵌合舌片２３ａは、縦框部材２３の外側面において室内側に位置する部分から外方に向けて突設した薄板状部分である。この嵌合舌片２３ａは、下框部材２２に設けた凹状体３２の軸心を含む平面との距離が、位置決めブロック４０におけるスリット４４と回動溝４３の軸心を含む平面との距離に一致するように形成してある。従って、嵌合舌片２３ａを位置決めブロック４０のスリット４４に嵌合させた場合には、下框部材２２の凹状体３２を位置決めブロック４０の回動溝４３と同一軸心上に配置させることが可能である。
【００２６】
当接片２３ｂは、縦框部材２３の外側面において嵌合舌片２３ａよりも室外側に位置する部分から外方に向けて突設したもので、その先端部が室内側に向けて直角に屈曲している。この当接片２３ｂは、嵌合舌片２３ａを位置決めブロック４０のスリット４４に嵌合させた場合には位置決めブロック４０に干渉しないが、嵌合舌片２３ａが位置決めブロック４０の前面４０ａに対向する位置に配置された場合には位置決めブロック４０における当接部４２の上面４０ｅに当接するように形成してある。
【００２７】
尚、図１中の符号５０は、ガラス窓２０の上框部材２１に設けたラッチである。このラッチ５０は、図示せぬスプリングの押圧力によって上框部材２１の上面から常時突出するように構成したもので、室内側に設けたハンドル５１を操作した場合に上框部材２１の上面より退行させることが可能である。
【００２８】
上記のように構成した内倒し窓では、開口枠１０に対してガラス窓２０を装着する場合、図７に示すように、まず、下枠部材１２の両端部に配設した位置決めブロック４０の上端部をそれぞれ室内側に傾斜させた状態に保持する。
【００２９】
この状態からそれぞれの位置決めブロック４０に設けたスリット４４に対して対応する縦框部材２３の嵌合舌片２３ａを挿入させると、上述したように、嵌合舌片２３ａと下框部材２２に設けた凹状体３２の軸心を含む平面との距離が、位置決めブロック４０におけるスリット４４と回動溝４３の軸心を含む平面との距離に一致するため、つまり下枠部材１２に対する下框部材２２の見込み方向に沿った位置が規定されるため、図３及び図８に示すように、凹状体３２における摺動片３２ａとストッパ片３２ｂとの間に凸状体３１の筒状部３１ａが案内されて両者が確実に当接することになる。その後、凸状体３１と凹状体３２とを互いに摺動させながらガラス窓２０を直立した状態に移動させれば、図１に示すように、ガラス窓２０の上框部材２１に設けたラッチ５０を開口枠１０の上枠部材１１に被係止部材５２に確実に係止させた状態でガラス窓２０を開口枠１０に装着することができる。開口枠１０に対して装着されたガラス窓２０は、以降、凸状体３１の筒状部３１ａと凹状体３２とが摺動することにより、筒状部３１ａの軸心を中心として、つまり下框部材２２の長手方向に沿った軸心を中心として、室内側に傾動可能に支持されることになる。
【００３０】
上述したように、本実施の形態の内倒し窓においては、凸状体３１と凹状体３２とが正確に当接したか否かを確認する必要はなく、単に予め凸状体３１の両端部に配設した位置決めブロック４０のスリット４４に縦框部材２３の嵌合舌片２３ａを挿入させれば、開口枠１０に対してガラス窓２０を確実に装着することができるため、その作業を容易に、かつ正確に行うことが可能である。特に、嵌合舌片２３ａを縦框部材２３の外側面から外方に向けて突設しているため、開口枠１０に対してガラス窓２０を装着する際にも確実に両者の嵌合状態を視認することが可能であり、上述した作業をより確実に実行することができる。
【００３１】
しかも、縦框部材２３の嵌合舌片２３ａが位置決めブロック４０のスリット４４よりも手前側に位置した状態においては、図２において右方側に位置する図及び図９に示すように、位置決めブロック４０における当接部４２の上面４０ｅに縦框部材２３の当接片２３ｂが当接し、最早下枠部材１２に対して下框部材２２を近接させることができないため、両者の間に大きな隙間が確保されることになる。これにより、開口枠１０に対してガラス窓２０が見付け方向に沿って上方に大きく位置ずれすることになり、ガラス窓２０のラッチ５０を開口枠１０の被係止部材５２に係止させることも困難となるため、凸状体３１と凹状体３２とが当接していない状態で開口枠１０にガラス窓２０が誤って装着される事態を招来する恐れがない。
【００３２】
さらに、縦框部材２３の下隅部に配置される位置決めブロック４０は、小口カバーとしても機能させることができる。
【００３３】
尚、上述した実施の形態では、障子としてガラス窓を例示しているが、必ずしもガラス窓である必要はない。
【００３４】
また、上述した実施の形態では、位置決めブロック４０にスリット４４を設ける一方、障子の框部材に舌片を形成することによって位置決め手段を構成しているが、必ずしもこれに限らない。例えば実施の形態とは逆に、位置決めブロック４０に舌片を設け、かつ框部材にスリットを形成し、位置決めブロックの舌片を框部材のスリットに嵌合させることによって位置決めを行うようにしても良い。
【図面の簡単な説明】
【００３５】
【図１】本発明の実施の形態である建具を示した縦断面図である。
【図２】図１に示した建具の横断面図である。
【図３】図１に示した建具に適用する形材蝶番及び位置決めブロックを示す要部拡大断面図である。
【図４】図１に示した建具において枠部材と位置決めブロックとを分解して示す斜視図である。
【図５】図１に示した建具に適用する位置決めブロックを下方から見た斜視図である。
【図６】図１に示した建具において枠部材に配設した位置決めブロックを示す断面図である。
【図７】図１に示した建具において開口枠に障子を装着する過程を示した要部縦断面図である。
【図８】図１に示した建具の要部を示す横断面図である。
【図９】図１に示した建具において枠部材と框部材とが見込み方向にずれた状態を示す要部縦断面図である。
【符号の説明】
【００３６】
１０      開口枠
１２      下枠部材
２０      ガラス窓
２２      下框部材
２３ａ      嵌合舌片
２３ｂ      当接片
２４      ガラス板
３０      形材蝶番
３１      凸状体
３２      凹状体
４０      位置決めブロック
４１      基部
４２      当接部
４３      回動溝
４４      スリット
【図１】
2010127034.tif 000003
【図２】
2010127034.tif 000004
【図３】
2010127034.tif 000005
【図４】
2010127034.tif 000006
【図５】
2010127034.tif 000007
【図６】
2010127034.tif 000008
【図７】
2010127034.tif 000009
【図８】
2010127034.tif 000010
【図９】
2010127034.tif 000011